(57)【要約】【課題】  簡易な構成で、回路部品の特性の変化を自動的に補償することができ、しかも回路部品の特性の変化の要因が何であるかを問わず種々の要因に対応することができる発振回路を提供する。【解決手段】  電圧制御発振器６に入力される制御電圧を定期的に検出するとともに、制御電圧が所定の調整範囲内に収まるように電圧制御発振器６の容量値を調整する制御部８を備える。制御電圧に応じて容量値を調整するだけであるから簡易な構成となっている。また、回路部品の特性の変化そのものによって変化した制御電圧に基づいて容量値を調整するから、回路部品の特性の変化の要因が何であるかを問わず種々の要因に対応することができる。【選択図】図１
2005312028.tif 000002
【特許請求の範囲】
【請求項１】
容量値を可変とし入力された制御電圧が所定の制御範囲内であるときに制御電圧と容量値とに応じた周波数の出力信号を生成する電圧制御発振器と、電圧制御発振器の出力信号が分周された信号又は電圧制御発振器の出力信号が比較信号として入力され比較信号の位相と基準信号の位相とを比較する位相比較器と、位相比較器の比較結果に応じて電荷を充放電するチャージポンプと、チャージポンプの出力を平滑化することにより制御電圧を生成して電圧制御発振器に入力するローパスフィルタとを備えた発振回路であって、
定期的に制御電圧を検出する制御電圧検出器と、制御電圧検出器によって検出された制御電圧が、制御範囲に含まれる所定の調整範囲内か否かを判定する判定器と、制御電圧が調整範囲外であると判定器によって判定されたときに、制御電圧が調整範囲に対して高いか低いかに応じて、制御電圧が調整範囲内に収まるように電圧制御発振器の容量値を調整する制御部とを備えることを特徴とする発振回路。
【請求項２】
制御電圧検出器によって開閉され制御電圧検出器への制御電圧の入力を入切する検出スイッチを備え、制御電圧検出器は、制御電圧を検出する際に検出スイッチを閉じ、制御電圧が調整範囲内に収まったときに検出スイッチを開くことを特徴とする請求項１記載の発振回路。
【請求項３】
電圧制御発振器の出力信号と比較信号との関係並びに基準信号の条件を一定としたときの電圧制御発振器の容量値と制御電圧との相関を示すデータテーブルが少なくとも１通りの前記条件について格納されたデータテーブル格納部を有し、制御部は、データテーブル格納部に格納されたデータテーブルに基いて、電圧制御発振器の容量値を調整することを特徴とする請求項１又は請求項２記載の発振回路。
【請求項４】
容量値を可変とし入力された制御電圧が所定の制御範囲内であるときに制御電圧と容量値とに応じた周波数の出力信号を生成する電圧制御発振器と、電圧制御発振器の出力信号が分周された信号又は電圧制御発振器の出力信号が比較信号として入力され比較信号の位相と基準信号の位相とを比較する位相比較器と、位相比較器の比較結果に応じて電荷を充放電するチャージポンプと、チャージポンプの出力を平滑化することにより制御電圧を生成して電圧制御発振器に入力するローパスフィルタと、電圧制御発振器の容量値を調整する制御部とを備えた発振回路であって、
位相比較器は、制御電圧が制御範囲外となるアンロック状態を比較結果に基いて検出するとともにアンロック状態が検出されたときに所定のアンロック信号を制御部に出力し、
制御部は、位相比較器からアンロック信号が出力されているか否かを定期的に検出し、位相比較器からアンロック信号が出力されていた場合には、制御電圧を検出し、制御電圧が制御範囲に対して低いときには、制御電圧が制御範囲の下限であるときの電圧制御発振器の出力の周波数が、電圧制御発振器から出力可能な周波数の幅の最小値よりも小さい所定の調整周波数だけ減少するように、制御電圧が制御範囲に対して高いときには、制御電圧が制御範囲の上限であるときの電圧制御発振器の出力の周波数が調整周波数だけ増加するように、それぞれ電圧制御発振器の容量値を調整することを特徴とする発振回路。
【発明の詳細な説明】
【技術分野】
【０００１】
本発明は、位相ロックループを用いた発振回路に関するものである。
【背景技術】
【０００２】
従来から、図１１に示すように、入力された制御電圧に応じた周波数の出力を生成する電圧制御発振器ＶＯと、比較信号と基準信号とが入力され比較信号と基準信号との位相差に応じた出力を生成する位相比較器ＰＤと、位相比較器ＰＤでの比較結果に応じて電荷を充放電するチャージポンプＣＰと、チャージポンプＣＰの出力を平滑化することにより制御電圧を生成して電圧制御発振器ＶＯに入力するローパスフィルタＬＦとを有する、いわゆる位相ロックループ（PLL : Phase Locked Loop frequency synthesizer）を用いた発振回路が提供されている。この発振回路は、電圧制御発振器ＶＯの出力信号をそのまま又は分周器（図示せず）で分周して比較信号として位相比較器ＰＤに入力するというループにより、基準信号の周波数及び位相に応じた周波数及び位相の信号を電圧制御発振器ＶＯに出力させるものである。
【０００３】
ここで、制御電圧には、例えば電源電圧に寄因する上限及び下限が存在するため、上記の電圧制御発振器ＶＯは所謂プルインレンジと呼ばれる所定の範囲の周波数内で発振しなければならない。そして、電圧制御発振器ＶＯを構成する回路部品の特性が、温度変化や経時変化等の要因で変化すると、結果として、当初はプルインレンジ内であった電圧制御発振器ＶＯの周波数が、プルインレンジから外れてしまうことがある。
【０００４】
上記のようなことを防止する方法としては、例えば、電圧制御発振器ＶＯの出力信号の周波数の上限と下限とを測定し、プルインレンジに基準信号の周波数が含まれるように電圧制御発振器ＶＯの出力信号の周波数の上限と下限とを自動的に調整するという方法がある（例えば、特許文献１参照）。
【特許文献１】特開２００３−７８４１０号公報
【発明の開示】
【発明が解決しようとする課題】
【０００５】
しかし、電圧制御発振器ＶＯの出力信号の周波数の上限と下限とを測定する場合、電圧制御発振器に上限及び下限の周波数の出力信号を生成させるための回路や、電圧制御発振器の出力の周波数を測定するための回路が必要となって構成が複雑になる。しかも、周波数の測定中は基準信号に応じた出力信号を出力させることができない。さらに、周波数を測定するためにはある程度の時間が必要なために、上記調整にかかる時間が長くなってしまう。
【０００６】
また、例えば温度変化による回路部品の特性の変化のみを補償するのであれば、比較的簡易な構成の補償回路で実現することができるが、温度変化のみを想定した補償回路では温度変化以外の経年変化等の要因に対応することができない。
【０００７】
本発明は上記事由に鑑みて為されたものであり、その目的は、簡易な構成で、回路部品の特性の変化を自動的に補償することができ、しかも回路部品の特性の変化の要因が何であるかを問わず種々の要因に対応することができる発振回路を提供することにある。
【課題を解決するための手段】
【０００８】
請求項１の発明は、容量値を可変とし入力された制御電圧が所定の制御範囲内であるときに制御電圧と容量値とに応じた周波数の出力信号を生成する電圧制御発振器と、電圧制御発振器の出力信号が分周された信号又は電圧制御発振器の出力信号が比較信号として入力され比較信号の位相と基準信号の位相とを比較する位相比較器と、位相比較器の比較結果に応じて電荷を充放電するチャージポンプと、チャージポンプの出力を平滑化することにより制御電圧を生成して電圧制御発振器に入力するローパスフィルタとを備えた発振回路であって、定期的に制御電圧を検出する制御電圧検出器と、制御電圧検出器によって検出された制御電圧が、制御範囲に含まれる所定の調整範囲内か否かを判定する判定器と、制御電圧が調整範囲外であると判定器によって判定されたときに、制御電圧が調整範囲に対して高いか低いかに応じて、制御電圧が調整範囲内に収まるように電圧制御発振器の容量値を調整する制御部とを備えることを特徴とする。
【０００９】
この発明によれば、制御電圧に応じて容量値を調整するだけであるから簡易な構成とすることができる。また、電圧制御発振器を構成する回路部品の特性の変化そのものによって変化した制御電圧に基いて電圧制御発振器の容量値を調整するから、回路部品の特性の変化の要因が何であるかを問わず種々の要因に対応することができる。さらに、電圧制御発振器の出力信号の周波数を測定する場合に比べて短時間で電圧制御発振器の特性を調整することができる。また、ロックが外れたときに容量値の調整を開始する場合に比べ、制御電圧が制御範囲から外れる前に電圧制御発振器の容量値を調整することができ、ロック状態からアンロック状態への移行が阻止されるから、安定した動作が可能となって信頼性が向上する。さらに、アンロック状態を検出する必要がない。
【００１０】
請求項２の発明は、請求項１の発明において、制御電圧検出器によって開閉され制御電圧検出器への制御電圧の入力を入切する検出スイッチを備え、制御電圧検出器は、制御電圧を検出する際に検出スイッチを閉じ、制御電圧が調整範囲内に収まったときに検出スイッチを開くことを特徴とする。
【００１１】
この発明によれば、制御電圧を検出していないときに電圧制御発振器から制御部にノイズが入力されて誤作動することを防ぐことができる。
【００１２】
請求項３の発明は、請求項１又は請求項２の発明において、電圧制御発振器の出力信号と比較信号との関係並びに基準信号の条件を一定としたときの電圧制御発振器の容量値と制御電圧との相関を示すデータテーブルが少なくとも１通りの前記条件について格納されたデータテーブル格納部を有し、制御部は、データテーブル格納部に格納されたデータテーブルに基いて、電圧制御発振器の容量値を調整することを特徴とする。
【００１３】
この発明によれば、データテーブルを用いることにより、より短時間で電圧制御発振器の容量値を調整することができる。
【００１４】
請求項４の発明は、容量値を可変とし入力された制御電圧が所定の制御範囲内であるときに制御電圧と容量値とに応じた周波数の出力信号を生成する電圧制御発振器と、電圧制御発振器の出力信号が分周された信号又は電圧制御発振器の出力信号が比較信号として入力され比較信号の位相と基準信号の位相とを比較する位相比較器と、位相比較器の比較結果に応じて電荷を充放電するチャージポンプと、チャージポンプの出力を平滑化することにより制御電圧を生成して電圧制御発振器に入力するローパスフィルタと、電圧制御発振器の容量値を調整する制御部とを備えた発振回路であって、位相比較器は、制御電圧が制御範囲外となるアンロック状態を比較結果に基いて検出するとともにアンロック状態が検出されたときに所定のアンロック信号を制御部に出力し、制御部は、位相比較器からアンロック信号が出力されているか否かを定期的に検出し、位相比較器からアンロック信号が出力されていた場合には、制御電圧を検出し、制御電圧が制御範囲に対して低いときには、制御電圧が制御範囲の下限であるときの電圧制御発振器の出力の周波数が、電圧制御発振器から出力可能な周波数の幅の最小値よりも小さい所定の調整周波数だけ減少するように、制御電圧が制御範囲に対して高いときには、制御電圧が制御範囲の上限であるときの電圧制御発振器の出力の周波数が調整周波数だけ増加するように、それぞれ電圧制御発振器の容量値を調整することを特徴とする。
【００１５】
この発明によれば、制御電圧に応じて容量値を調整するだけであるから簡易な構成とすることができる。また、電圧制御発振器を構成する回路部品の特性の変化そのものによって変化した制御電圧に基いて電圧制御発振器の容量値を調整するから、回路部品の特性の変化の要因が何であるかを問わず種々の要因に対応することができる。さらに、電圧制御発振器の出力信号の周波数を測定する場合に比べて短時間で電圧制御発振器の特性を調整することができる。また、位相比較器からアンロック信号が出力されていなければ制御部は制御電圧を検出しないから、制御部が制御電圧を検出する際の誤差による誤動作を抑制することができる。
【発明の効果】
【００１６】
本発明は、制御電圧に基いて電圧制御発振器の容量値を調整するようにしたので、比較的に簡易な構成で電圧制御発振器の特性を自動的に調整し、電圧制御発振器を構成する回路部品の特性の変化を補償することができる。また、電圧制御発振器を構成する回路部品の特性の変化そのものによって変化した制御電圧に基いて電圧制御発振器の容量値を調整するから、回路部品の特性の変化の要因が何であるかを問わず種々の要因に対応することができる。さらに、電圧制御発振器の出力の周波数の上限と下限とを測定する場合に比べ、調整にかかる時間が短縮される。
【発明を実施するための最良の形態】
【００１７】
以下、本発明を実施するための最良の形態について図面を参照しながら説明する。
【００１８】
（実施形態１）
本実施形態は、図１に示すように、例えば水晶発振器からなり略一定の周波数の信号を出力する基準発振器１と、基準発振器１の出力を分周する第１の分周器２と、第１の分周器２の出力が基準信号として入力され基準信号の位相と比較信号の位相とを比較する位相比較器３と、位相比較器３での比較結果に応じて電荷を充放電するチャージポンプ４と、チャージポンプ４の出力を平滑化することにより制御信号を生成するローパスフィルタ５と、ローパスフィルタ５から入力された制御電圧に応じた周波数（以下、「発振周波数」と呼ぶ。）の出力信号を生成する電圧制御発振器６と、電圧制御発振器６の出力信号を分周して位相比較器３に比較信号として入力する第２の分周器７とを備える。ローパスフィルタ５は位相比較器３での比較結果に応じた制御電圧を出力することになり、ロック状態での電圧制御発振器６の発振周波数は、第１の分周器２の分周率と、第２の分周器７の分周率と、基準発振器１の出力信号の周波数とに応じた周波数となる。
【００１９】
また、電圧制御発振器６は容量値を可変として容量値に応じて制御電圧と発振周波数との関係を変化させる。そして、本実施形態は、電圧制御発振器６の制御電圧を定期的に検出し、制御範囲に含まれる所定の調整範囲に制御電圧が収まっているか否かを判定するとともに、制御電圧が調整範囲外であったときに、制御電圧を検出し、制御電圧が制御範囲内に収まるように電圧制御発振器６の容量値を調整する制御部８を備える。つまり、制御部８は制御電圧検出部でもあり、判定部でもある。制御部８は、例えばＣＰＵと上記の動作をＣＰＵに実行させるためのプログラム及び上記調整範囲が格納されたメモリとからなる。
【００２０】
なお、第１及び第２の分周器２，７、位相比較器３、チャージポンプ４、並びにローパスフィルタ５は、それぞれ周知の技術で実現可能であるから、具体的な回路の図示及び詳細な説明は省略する。
【００２１】
電圧制御発振器６は例えば図２に示すように、制御電圧によって容量値が制御される可変容量ダイオードＣｖが、インダクタＬに並列に接続されたＬＣ型の発振回路である。可変容量ダイオードＣｖは図３に示すようにカソード−アノード間に加えられる逆方向電圧に対して容量値が単調に減少する特性を有する。可変容量ダイオードＣｖのアノード側及びカソード側にはそれぞれコンデンサＣａ，Ｃｂが直列に接続され、制御電圧が入力される入力端子Ｔｃは可変容量ダイオードＣｖとカソード側のコンデンサＣｂとの間に接続されている。ここで、可変容量ダイオードＣｖに直列に接続された２個のコンデンサＣａ，Ｃｂの容量値はともに可変容量ダイオードＣｖの容量値に対して無視してよい程度に小さいから、可変容量ダイオードＣｖに加わる逆方向電圧は制御電圧に等しいと考えてよく、可変容量ダイオードＣｖの容量値はコンデンサＣａ，Ｃｂと可変容量ダイオードＣｖとの直列回路の容量値と考えてよい。すなわち、可変容量ダイオードＣｖの容量値は制御電圧に対して単調に減少し、電圧制御発振器６は、図４に示すように制御範囲内の制御電圧に対して発振周波数が単調に増加する特性を有する。
【００２２】
インダクタＬの一端は、コンデンサＣｃを介してｎｐｎ型のトランジスタＱのベースに接続されている。トランジスタＱのコレクタは、電源が供給される電源端子ＴＥに接続され、エミッタは、コンデンサＣｅと抵抗Ｒとの並列回路を介して接地されるとともに、コンデンサＣｆを介して出力端子ＴＯに接続されている。また、トランジスタＱのベースとエミッタとの間にはコンデンサＣｄが接続されている。つまり、一般的によく用いられる変形コルピッツ（クラップ）発振回路である。電圧制御発振器６の制御範囲は、可変容量ダイオードＣｖの特性と電源端子ＴＥに入力される電源電圧とによって決定している。
【００２３】
また、例えばＭＯＳＦＥＴからなり制御部８から入力された信号によってオンオフされるスイッチ要素ＳＷ１，ＳＷ２，…，ＳＷｎとコンデンサＣ１，Ｃ２，…，Ｃｎとの直列回路が複数個、可変容量ダイオードＣｖとコンデンサＣａ，Ｃｂとの直列回路に対してそれぞれ互いに並列に接続されている。そして、スイッチ要素ＳＷ１〜ＳＷｎがオンオフされることによって上記共振回路の容量値が変化し、これに伴って制御電圧と出力信号の周波数との関係が変化するようになっている。
【００２４】
以下、図５のフローチャートを用いて制御部８の動作を説明する。
【００２５】
制御部８は、電源が投入される（Ｓ１）と、制御電圧を検出し、制御範囲に含まれる所定の調整範囲に制御電圧が収まっているか否かを判定する（Ｓ２）。そして、制御電圧が調整範囲に収まっていれば、所定時間待機して（Ｓ３）、Ｓ２に戻る。つまり、制御部８は定期的に制御電圧を検出することになる。一方、制御電圧が調整範囲に収まっていなければ、制御電圧と調整範囲の下限値とを比較する（Ｓ４）。比較の結果、制御電圧が調整範囲の下限値よりも低ければ、制御電圧が調整範囲の下方に外れていることになるので、スイッチ要素ＳＷ１〜ＳＷｎを制御して電圧制御発振器６の容量値を大きくすることにより制御電圧を高くし（Ｓ５）、Ｓ２に戻る。ここで、制御電圧が調整範囲の下方に外れているということは、図３の特性図から分かるように、可変容量ダイオードＣｖの容量値が調整範囲の下限値に対応する容量値に対して大きくなっているということを意味する。そこで、電圧制御発振器６の容量値を大きくすると、可変容量ダイオードＣｖの容量値はより小さくてよいことになり、従って制御電圧を調整範囲内とすることが可能となるのである。一方、制御電圧が調整範囲の下限値よりも高ければ、制御電圧が調整範囲の上方に外れていることになるので、スイッチ要素ＳＷ１〜ＳＷｎを制御して電圧制御発振器６の容量値を小さくすることにより制御電圧を低くし（Ｓ６）、Ｓ２に戻る。
【００２６】
上記構成によれば、制御電圧に応じて制御部８がスイッチ要素ＳＷ１〜ＳＷｎを開閉するだけであるから、比較的に簡易な構成で、回路部品の特性の変化を補償し、制御電圧を制御範囲内に維持することができる。また、回路部品の特性の変化そのものによって変化した制御電圧に基づいて電圧制御発振器６の容量値を調整するから、回路部品の特性の変化の要因が何であるかを問わず種々の要因に対応することができる。さらに、制御電圧が制御範囲から外れる前に、調整範囲から外れた時点で制御部８が電圧制御発振器６の容量値の調整を開始するので、ロックが外れることが防止されるから、アンロック状態となったときに制御部８が電圧制御発振器６の容量値の調整を開始する場合に比べ、安定した動作が可能となって信頼性が向上する。また、アンロック状態を検出する必要がない。ここで、調整範囲は、制御範囲の上限値と下限値との平均値（以下、「中央値」と呼ぶ。）付近に設定することが望ましい。
【００２７】
なお、図６に示すように、例えばＭＯＳＦＥＴからなり制御部８によって制御され制御部８への制御電圧の入力を入切する検出スイッチ９を設けるとともに、図７に示すように、制御部８が、制御電圧を検出する際に検出スイッチ９を閉じ（Ｓ７）、制御電圧が調整範囲内に収まったときに検出スイッチ９を開く（Ｓ８）ようにしてもよい。なお、制御部８が電圧制御発振器６のスイッチ要素ＳＷ１〜ＳＷｎを制御するための信号の経路にはスイッチを設けずに接続されたままにしてある。
【００２８】
ここで、電圧制御発振器６を構成する回路部品のうち、可変容量ダイオードＣｖはＦＭノイズ源となることがあるが、上記構成を採用すれば、制御部８が制御電圧を検出していないときには検出スイッチ９が開かれていることにより、上記ＦＭノイズの制御部８への伝播が阻止されるから、制御部８の誤動作が防止される。
【００２９】
（実施形態２）
本実施形態の基本構成は実施形態１と共通であるので、共通する部分については図示並びに説明を省略する。
【００３０】
本実施形態の制御部８には、スイッチ要素ＳＷ１〜ＳＷｎのオンオフに対応する制御ビットと制御電圧との相関を示すデータテーブルが格納されている。つまり、本実施形態の制御部８はデータテーブル格納部でもある。データテーブルにおける制御電圧は、設計値から計算されたものでもよいし、製造時に計測されたものでもよい。
【００３１】
制御電圧が調整範囲外であったときには、図８に示すように、データテーブルにおいて調整範囲の中央値に対応する制御ビットと、検出された制御電圧に対応する制御ビットとの差を演算し（Ｓ９）、演算された制御ビットを調整時の制御ビットに加算したものを新たな制御ビットとしてスイッチ要素ＳＷ１〜ＳＷｎをオンオフ制御する（Ｓ１０）。そして、再度、制御電圧が調整範囲内に収まっているか否かを判定する（Ｓ１１）。制御電圧が調整範囲内であれば所定時間待機して（Ｓ３）、Ｓ２に戻る。一方、制御電圧が調整範囲外であれば制御ビットをＳ１０で決定された制御ビットから僅かにずらした制御ビットとし（Ｓ１２）、Ｓ１１に戻る。例えば、制御ビットをずらす方向は、Ｓ１２の処理を行う度に、増加させる方向と減少させる方向とに交互に変更し、制御ビットをずらす幅は、ずらす方向を増加させる方向とする度に１ビットずつ増加させるようにする。又は、まず増加させる方向に数ビット（例えば３ビット）まで、Ｓ１２の処理を行う度に１ビットずつずらし、次に減少させる方向に数ビットまで、Ｓ１２の処理を行う度に１ビットずつずらすといったようにしてもよい。
【００３２】
具体的に数値を挙げて説明する。まず、制御範囲が０．４Ｖ〜１．２Ｖであり、調整範囲が０．７Ｖ〜０．９Ｖであり、データテーブルが次表に示すものであったとする。
【００３３】
【表１】
2005312028.tif 000003
【００３４】
ここで、制御ビットは、制御ビットを１ビット増大させる毎に制御電圧が０．１Ｖ上昇するように、それぞれスイッチ要素ＳＷ１〜ＳＷｎのオンオフに対応させてある。このデータテーブルは、出荷時において、例えば制御ビットを０１０１としたときは制御電圧が０．８Ｖでロックされたというように、制御ビットをどのように設定すればどの制御電圧でロックされたかということを示す。
【００３５】
制御ビットが０１０１であるときに、インダクタＬの経時変化などにより、インダクタＬのインダクタンスが減少し、電圧制御発振器６のＬＣ共振回路の容量値が３ｐＦ減少した場合と等価の状態になったとする。このとき、減少した３ｐＦは可変容量ダイオードＣｖによって補われ、発振周波数は維持される。つまり、図３の特性図から、制御電圧は初期の０．８Ｖから低下して０．６Ｖとなっている。この制御電圧は調整範囲外であるから、制御部８によって容量値の調整が開始される。まず、データテーブルから、検出された制御電圧０．６Ｖに対応する制御ビットである００１１と、調整範囲の中央値である０．８Ｖに対応する制御ビット０１０１とが抽出される。そして、抽出された制御ビット０１０１と００１１との差が演算される。さらに、演算された差００１０が調整時の制御ビット０１０１に加算され、新たな制御ビットは０１１１となる。その後、制御電圧が調整範囲に収まった場合にはそのまま、制御電圧が調整範囲に収まらなかった場合には制御ビットの微調整を経て、容量値の調整が終了する。
【００３６】
上記構成によれば、データテーブルを用いることにより、制御電圧が調整範囲の中央値から大きく離れているときには制御ビットの変更幅すなわち容量値の変更幅を大きくすることになるから、調整にかかる時間の短縮が可能となる。
【００３７】
（実施形態３）
本実施形態の基本構成は実施形態１と共通であるので、共通する部分については同じ符号を付して図示及び説明を省略する。
【００３８】
本実施形態の位相比較器３は、図９に示すように、比較結果に基いてアンロック状態を検出し、アンロック状態が検出されたときに所定のアンロック信号を制御部８へ出力する。
【００３９】
図１０を用いて、本実施形態における制御部８の動作を説明する。制御部８は、電源が投入される（Ｓ１）と、位相比較器３のアンロック信号を検出する（Ｓ１３）。そして、位相比較器３からアンロック信号が入力されていなければ、所定時間待機して（Ｓ３）、Ｓ１３に戻る。一方、位相比較器３からアンロック信号が入力されていれば、制御電圧を検出し、制御範囲内の所定の閾値と制御電圧とを比較する（Ｓ１４）。比較の結果、制御電圧が閾値よりも低ければ、すなわち制御電圧が制御範囲に対して低ければ、制御電圧が制御範囲の下限値（すなわち略０Ｖ）であるときの発振周波数が所定の調整周波数だけ減少するように、スイッチ要素ＳＷ１〜ＳＷｎを制御して電圧制御発振器６の容量値を大きくし（Ｓ１５）、Ｓ１３に戻る。一方、Ｓ１４において、制御電圧が閾値よりも高ければ、すなわち制御電圧が制御範囲に対して高ければ、制御電圧が制御範囲の上限値（すなわち電源電圧程度）であるときの発振周波数が調整周波数だけ増加するように、スイッチ要素ＳＷ１〜ＳＷｎを制御して電圧制御発振器６の容量値を小さくし（Ｓ１６）、Ｓ１３に戻る。ここで、調整周波数は、電圧制御発振器６が出力可能な周波数の幅Δｆ（図４参照）の最小値（つまり、スイッチ要素ＳＷ１〜ＳＷｎを全てオンとしたときの値）よりも小さい周波数としている。
【００４０】
上記構成によれば、実施形態１と同様に、制御電圧に応じて制御部８がスイッチ要素ＳＷ１〜ＳＷｎを開閉するだけであるから、比較的に簡易な構成で、回路部品の特性の変化を補償し、制御電圧を制御範囲内に維持することができ、また、回路部品の特性の変化そのものによって変化した制御電圧に基づいて電圧制御発振器６の容量値を調整するから、回路部品の特性の変化の要因が何であるかを問わず種々の要因に対応することができる。さらに、アンロック信号が入力されるまでは制御部８が制御電圧を検出しないから、制御部８が制御電圧を検出する際の誤差による誤動作を抑制することができる。
【図面の簡単な説明】
【００４１】
【図１】本発明の実施形態１を示すブロック図である。
【図２】同上の電圧制御発振器を示す回路図である。
【図３】同上の電圧制御発振器に用いられる可変容量ダイオードの特性を示す説明図である。
【図４】同上の電圧制御発振器の特性を示す説明図である。
【図５】同上の動作を示す説明図である。
【図６】同上の別の形態を示すブロック図である。
【図７】同上の動作を示す説明図である。
【図８】本発明の実施形態２の動作を示す説明図である。
【図９】本発明の実施形態３を示すブロック図である。
【図１０】同上の動作を示す説明図である。
【図１１】位相ロックループを用いた発信回路の構成を示すブロック図である。
【符号の説明】
【００４２】
３  位相比較器
４  チャージポンプ
５  ローパスフィルタ
６  電圧制御発振器
８  制御部
９  検出スイッチ
【図１】
2005312028.tif 000004
【図２】
2005312028.tif 000005
【図３】
2005312028.tif 000006
【図４】
2005312028.tif 000007
【図５】
2005312028.tif 000008
【図６】
2005312028.tif 000009
【図７】
2005312028.tif 000010
【図８】
2005312028.tif 000011
【図９】
2005312028.tif 000012
【図１０】
2005312028.tif 000013
【図１１】
2005312028.tif 000014